(57)【特許請求の範囲】
【請求項１】
乗客コンベアの移動手摺に摺接する清掃具を前記移動手摺に選択的に当接させる手段を備え、前記移動手摺の移動に伴って前記清掃具により移動手摺の表面を自動的に清掃し、かつ、前記清掃具を自動的に更新する乗客コンベアの移動手摺清掃装置において、
前記清掃具の自動更新時には前記清掃具を前記移動手摺から引き離し、更新終了後に再度前記移動手摺に押圧する清掃具押圧手段を備え、
この清掃具押圧手段は、前記清掃具を上下動させる偏心カムと、この偏心カムの逆転を阻止する一方向回転クラッチと、この一方向回転クラッチの外周が固定されるクラッチ支持金具とを有することを特徴とする乗客コンベアの移動手摺清掃装置。
【発明の詳細な説明】
【０００１】
【発明の属する技術分野】
本発明は、エスカレータ等の乗客コンベアに備えられる乗客コンベアの移動手摺清掃装置に関する。
【０００２】
【従来の技術】
従来、エスカレータ等の乗客コンベアにおいては、例えば特開平５−２４７８２号公報等に記載のように、移動手摺に摺接する清掃具を前記移動手摺に選択的に当接させる手段を備え、前記移動手摺の移動に伴って前記清掃具により移動手摺の表面を自動的に清掃し、かつ、前記清掃具を自動的に更新する移動手摺の自動清掃装置が提案されている。
【０００３】
【発明が解決しようとする課題】
しかしながら、従来の乗客コンベアの移動手摺自動清掃装置では、清掃具自動更新時の押圧部の上下動駆動方式が、機械的に複雑なものであったり、また、押圧時には常に通電せざるを得ないソレノイド方式であったりして、装置の信頼性上や省エネ上で問題が多い。
【０００４】
本発明の目的は、簡単な構造で信頼性が高く、かつ、押圧部の上下動時のみの通電で動作できるため省エネ上最も有利な乗客コンベアの移動手摺清掃装置を提供することにある。
【０００５】
【課題を解決するための手段】
この目的を達成するために本発明は、乗客コンベアの移動手摺に摺接する清掃具を前記移動手摺に選択的に当接させる手段を備え、前記移動手摺の移動に伴って前記清掃具により移動手摺の表面を自動的に清掃し、かつ、前記清掃具を自動的に更新する乗客コンベアの移動手摺清掃装置において、前記清掃具の自動更新時には前記清掃具を前記移動手摺から引き離し、更新終了後に再度前記移動手摺に押圧する清掃具押圧手段を備え、この清掃具押圧手段は、前記清掃具を上下動させる偏心カムと、この偏心カムの逆転を阻止する一方向回転クラッチと、この一方向回転クラッチの外周が固定されるクラッチ支持金具とを有する構成にしてある。
【０００６】
係る手段によれば、乗客コンベアの移動手摺に摺接する清掃具を前記移動手摺に当接させたり引き離しを行なう清掃具押圧手段として、清掃具を上下動させる偏心カムと、この偏心カムの逆転を阻止する一方向回転クラッチを組合わせた構成としているため、構成部品が少なく動作の信頼性が高い、安価にできる、清掃具を移動手摺から引き離し時または圧接時のみ通電すればよいため省エネ形である、など多くの利点を有している。
【０００７】
【発明の実施の形態】
以下、本発明の乗客コンベアの移動手摺清掃装置の形態を図を用いて説明する。
【０００８】
図１は本発明の一実施の形態による乗客コンベアの移動手摺清掃装置を取り付けた乗客コンベアの側面図である。
【０００９】
移動手摺１はガイド２に沿って移動可能に構成され、図示を省略した無端状のステップに同期して移動する。この移動手摺１の表面に対向する部分に移動手摺清掃装置３が設けられており、この移動手摺清掃装置３の詳細を図２に示している。
【００１０】
図２は図１の要部を拡大して示す本発明の一実施形態による乗客コンベアの移動手摺清掃装置を示す側面図である。
【００１１】
乗客コンベアに設置された移動手摺清掃装置３は、図２に示すように、上面開口の本体ケース４と、未使用の帯状清掃具５をロール状に装着する第１軸体６と、帯状清掃具５の使用済み部を巻取る第２軸体７と帯状清掃具５の未使用部分の一部を押圧して移動手摺１の表面に当接させる押台昇降機構などからなる清掃具押圧手段８と、移動手摺の移動有無およびその移動方向を検出する移動手摺速度検出手段９と清掃効果を向上させるシリコン液などの清掃液を清掃具５に含浸させるための清掃液タンク１０と、移動手摺清掃装置３の状態を監視・記憶・演算・制御する制御手段１１と移動手摺清掃装置３の作動開始を指令する操作部および状態を表示する操作表示手段１２を少なくとも備えている。
【００１２】
押圧手段８は、図２に示すように第１軸体６と第２軸体７との間に配置されている。帯状清掃具５の使用済み部を巻取る第２軸体７には、その軸体の逆回転を阻止するクラッチ機構１３と使用済みの帯状清掃具５を第２軸体７に巻取るための第２軸体７を回転させる清掃具更新手段１４とを設けている。
【００１３】
図３〜図４は本発明の押圧機構の一実施形態を示す要部構造図である。
【００１４】
押圧手段８とは、前述の如く乗客コンベアの移動手摺の清掃時には帯状清掃具を手摺表面に押圧させておき、設定された清掃時間が経過して汚れた帯状清掃具を更新する場合、移動手摺表面から帯状清掃具を引き離して一定量を巻き取った後、再度移動手摺面に押圧する押圧−引き離しの繰返し機構である。
【００１５】
本案の押圧手段８の構造を詳細に説明すると、図３〜図５に示すように、押圧支持台２１の上に固定された押圧ホルダ２２の内側にガイド２３、２４にて保持され、かつ、ガイド２４にねじにて固着された押圧軸２５があり、更にガイド２４にねじ止めされた受け金具２６からピン２７を介して支承され、上面にスポンジ状クッション２８を取り付けた押圧台２９がガイド２３、２４間にセットされた押圧ばね３０により帯状清掃具５を移動手摺１に押圧するように構成されている。
【００１６】
更に、この押圧手段８の駆動部は、モータ支持金具３６に取り付けられたモータ３５の軸には延長軸３７に固着された偏心カム４０とその先端に外周はモータ支持台３６と一体化されたクラッチ支持金具３８に回転止めされて固定された一方向回転クラッチ３９が嵌入されている。
【００１７】
また、カム４０の回転を押圧台２９に伝達するためにガイド２３の下端にピン４１にて支承されたコロ４２がカム外周面に接触しており、モータ３５によりカム４０の回転時、カム４０の外周を転がりながら押圧台２９を上下方向に駆動する。この他、この押圧手段８にはカム４０の上限位置および下限位置を検知する手段（図示せず）が組込まれている。
【００１８】
このような構成になっているため、乗客コンベアの移動手摺１の運転が開始されると移動手摺速度検出手段９から作動開始の指令を受け、モータ３５がカム４０を実線矢印５０の方向（左回転）に回転して押圧バネ３０、クッション２８を介して押圧台２９が帯状清掃具５を移動手摺１に押圧する（図３、図４）。
【００１９】
この場合、一方向回転クラッチ３９は順方向に回転するため回転抵抗は発生せず、また、カム４０は上限位置検知手段が動作する位置−本実施形態では上限点前１５°の位置−で停止する（図３）。この上限点前で動作させるのは、検知手段動作によるモータ停止指令後、モータおよびその他回転体の慣性によりカム４０の停止位置が上限点オーバーを避けるためである。
【００２０】
このようにして移動手摺の清掃が開始されるが、清掃中は押圧台２９のばね３０の反力により、上限点前で停止しているカム４０は常に点線矢印５０′の方向（右回転）に押し戻される回転力を受けている。（図３）この反力に対抗して押圧台２９を保持するため、本案では一方向回転クラッチ３９の逆回転阻止力を応用している。
【００２１】
即ち、一方向回転クラッチ３９はその外周をクラッチ支持金具３８に回転止めをして固定してあるための点線矢印５０′の方向には回転せず、ばね３０の反力を保持している。但し、ここで注意しなければならないことは図３に示す如く、反力は点線矢印５０′の方向で受けることが必要で、もしカム４０が上限点をオーバーして反力が実線矢印５０の方向で受けるようになれば、全く機能をなさなくなることである。
【００２２】
また、一方向回転クラッチ３９は、ばねの反力に充分耐え得る阻止トルクを有するものを選定することは勿論である。
【００２３】
さて、設定された清掃時間が経過し、帯状清掃具５が汚れたため清掃面を更新するときは、帯状清掃具５を移動手摺１から引き離すことが必要となる。本案の場合は、清掃装置は制御手段１１からの指令を受け、モーター３５により再びカム４０を実線矢印５０方向（左回転）にほぼ１／２回転させ、下限位置検知手段により押圧台２９を最下限位置に停止させる。この結果、図５の如く移動手摺１と押圧台２９のクッション２８の間に隙間ができ帯状清掃具５が巻取り可能となる。
【００２４】
【発明の効果】
以上説明したように本発明によれば、清掃具を移動手摺から引き離し、あるいは押圧する清掃具押圧手段が、清掃具を上下動させる偏心カムと、この偏心カムの逆転を阻止する一方向回転クラッチとを有する構成にしてあることから、清掃具を上下動させるための構成部品が従来に比べて少なく、高い信頼性を維持でき、しかも小型軽量で安価な清掃装置を提供できる。
【図面の簡単な説明】
【図１】  本発明の一実施形態による乗客コンベアの移動手摺清掃装置を取付けた乗客コンベアの側面図である。
【図２】  図１の要部を拡大して示す本発明の一実施形態による乗客コンベアの移動手摺清掃装置を示す側面図である。
【図３】  本発明の帯状清掃具押圧部の一実施形態を示す構造図である。
【図４】  図３の乗客コンベア移動手摺と直角方向の構造図である。
【図５】  図４の押圧部下限点動作図である。
【符号の説明】
１  移動手摺
２  ガイド
３  移動手摺清掃装置
４  本体ケース
５  帯状清掃具
６  第１軸体
７  第２軸体
８  清掃具押圧手段
９  移動手摺速度検出手段
１０  清掃液タンク
１１  制御手段
１２  操作表示手段
１３  クラッチ機構
１４  清掃具更新手段
１５  清掃具更新駆動電動機
２１  押圧支持台
２２  押圧ホルダ
２３  ガイド
２４  ガイド
２５  押圧軸
２６  受け金具
２７  ピン
２８  クッション
２９  押圧台
３０  押圧ばね
３５  モータ
３６  モータ支持金具
３７  延長軸
３８  クラッチ支持金具
３９  一方向回転クラッチ
４０  カム
４１  ピン
４２  コロ
５０  回転方向（左回転）
５０′  回転方向（右回転）
【図１】
0003771356.tif 000002
【図２】
0003771356.tif 000003
【図３】
0003771356.tif 000004
【図４】
0003771356.tif 000005
【図５】
0003771356.tif 000006